(57)【要約】【課題】ビデオ信号に含まれる黒帯領域を的確に検出する。【解決手段】所定の閾値レベル以上の信号値を有する画素が所定の第１閾値以上連続して含まれる水平ラインを検出する第１の手段（１２，１４，１６）と、第１の手段（１２，１４，１６）において検出された水平ラインが所定の第２閾値以上連続する領域を検出する第２の手段（１８，２０）と、を備えることによって、その領域を黒帯領域として検出する。【選択図】図１
2008147826.tif 000002
【特許請求の範囲】
【請求項１】
ビデオ信号に含まれる黒帯領域を検出する黒帯領域検出回路であって、
所定の閾値レベル以上の信号値を有する画素が所定の第１閾値以上連続して含まれる水平ラインを検出する第１の手段と、
前記第１の手段において検出された水平ラインが所定の第２閾値以上連続する領域を検出する第２の手段と、
を備えることを特徴とする黒帯領域検出回路。
【請求項２】
請求項１に記載の黒帯領域検出回路であって、
前記第１の手段は、
前記閾値レベル以上の画素をビデオ信号から検出するスライス回路と、
ビデオ信号の水平ライン内に連続して含まれる前記スライス回路で検出された画素の数をカウントする画素カウント回路と、
前記画素カウント回路でカウントされた画素の数が前記第１閾値以上であるか否かを判定する画素数比較回路と、を含み、
前記閾値レベル以上の信号値を有する画素が前記第１閾値以上連続して含まれる水平ラインを検出することを特徴する黒帯領域検出回路。
【請求項３】
請求項１又は２に記載の黒帯領域検出回路であって、
前記第２の手段は、
前記第１の手段において検出された水平ラインが連続する回数をカウントするラインカウント回路と、
前記ラインカウント回路でカウントされたラインの数が前記第２閾値以上であるか否かを判定するライン数比較回路と、を含み、
前記第１の手段において検出された水平ラインが前記第２閾値以上連続する領域を検出することを特徴とする黒帯領域検出回路。
【請求項４】
請求項１〜３のいずれか１つに記載の黒帯領域検出回路であって、
前記第１閾値は、ビデオ信号の表示の速度に基づいて変更されることを特徴とする黒帯領域検出回路。
【請求項５】
請求項４に記載の黒帯領域検出回路であって、
前記第１閾値は、ビデオ信号の表示の速度が大きくなるほど大きい値に設定されることを特徴とする黒帯領域検出回路。
【請求項６】
請求項１〜５のいずれか１つに記載の黒帯領域検出回路であって、
前記第２閾値は、ビデオ信号の表示の速度に基づいて変更されることを特徴とする黒帯領域検出回路。
【請求項７】
請求項６に記載の黒帯領域検出回路であって、
前記第２閾値は、ビデオ信号の表示の速度が大きくなるほど大きい値に設定されることを特徴とする黒帯領域検出回路。
【請求項８】
請求項１〜７のいずれか１つに記載の黒帯領域検出回路であって、
ビデオ信号に含まれる映像信号の位置の変化に基づいてビデオ信号に含まれるスーパーインポーズ映像を検出する第３の手段をさらに備えることを特徴とする黒帯領域検出回路。
【請求項９】
請求項１〜８のいずれか１つに記載の黒帯領域検出回路であって、
前記第３の手段は、
ビデオ信号の１フレーム内に含まれる映像信号の最後の水平画素位置を検出する水平位置検出回路と、
ビデオ信号の１フレーム内に含まれる映像信号の最後の垂直画素位置を検出する垂直位置検出回路と、
連続するフレーム間における前記水平画素位置の差が所定の範囲内であるか否かを判定する水平範囲比較回路と、
連続するフレーム間における前記垂直画素位置の差が所定の範囲内であるか否かを判定する垂直範囲比較回路と、
連続するフレーム間の前記水平画素位置の差が所定の範囲内であり、かつ、連続するフレーム間における前記垂直画素位置の差が所定の範囲内であるフレームの数をカウントするフレーム数カウント回路と、
前記フレーム数カウント回路でカウントされたフレームの数が所定の第３閾値以上であるか否かを判定するフレーム数比較回路と、
を含むことを特徴とする黒帯領域検出回路。
【発明の詳細な説明】
【技術分野】
【０００１】
本発明は、テレビジョンに映し出される黒帯領域を的確に検出する黒帯領域検出回路に関する。
【背景技術】
【０００２】
従来のテレビジョン装置の有効表示領域は横４：縦３である。これに対して、映画の表示領域は一般的に横１．３７：縦１、ハイビジョン放送では有効表示領域は横１６：縦９のアスペクト比を有する。そこで、映画やハイビジョン放送を従来のテレビジョン装置で表示する際には、画面の上下に映像が映し出されない黒帯状の領域（以下、黒帯領域という）を設けて、それぞれのアスペクト比を保った状態で表示を行う場合がある。
【０００３】
このような黒帯領域を設けて表示を行う際に、黒帯領域を利用して、黒帯領域にスーパーインポーズ（字幕等）を表示させる処理を行うことができる。
【発明の開示】
【発明が解決しようとする課題】
【０００４】
ビデオ信号は、図７に示すように、水平ブランキング期間及び有効映像信号期間（輝度信号及び色信号）を含む１水平ライン信号が繰り返され、それらの水平ライン信号に垂直同期期間等が付加されて１フィールド分の映像信号（垂直ブランキング期間）が構成されている。
【０００５】
黒帯領域に文字情報等を重畳しようとする場合、このようなビデオ信号から黒帯領域を検出する必要がある。一般的には、図８に示すように、所定の周波数以下の帯域を通過帯域とする低域通過フィルタ（ＬＰＦ）を用いて映像信号を平滑化した後（図中、破線で示す）、有効映像信号期間の振幅が所定の閾値レベル以下に維持されている水平ライン信号が所定ライン数以上連続している領域を求め、そのような領域があれば、その領域を黒帯領域であると判断する処理が行われている。
【０００６】
ところが、上記のような処理の場合、映像の早送り処理や巻き戻し処理を行った際に、黒帯領域に白いチラツキのノイズが重畳されることがある。そうすると、そのようなノイズが有効映像信号期間の信号の平均値を上げてしまい、本来は黒帯領域として検出されるべき領域が黒帯領域として検出されなくなることがある。
【０００７】
また、上記のような処理では映像信号をＬＰＦで平滑化するためにラインメモリ等を回路に設ける必要があるため、回路規模が大きくなるという問題もある。
【０００８】
そこで、本発明は、上記課題の少なくとも１つを解決すべく、テレビジョンに映し出される黒帯領域を的確に検出する黒帯領域検出回路を提供することを目的とする。
【課題を解決するための手段】
【０００９】
本発明は、ビデオ信号に含まれる黒帯領域を検出する黒帯領域検出回路であって、所定の閾値レベル以上の信号値を有する画素が所定の第１閾値以上連続して含まれる水平ラインを検出する第１の手段と、前記第１の手段において検出された水平ラインが所定の第２閾値以上連続する領域を検出する第２の手段と、を備えることを特徴とする。
【００１０】
具体的に回路の例として、前記第１の手段は、前記閾値レベル以上の画素をビデオ信号から検出するスライス回路と、ビデオ信号の水平ライン内に連続して含まれる前記スライス回路で検出された画素の数をカウントする画素カウント回路と、前記画素カウント回路でカウントされた画素の数が前記第１閾値以上であるか否かを判定する画素数比較回路と、を含み、前記閾値レベル以上の信号値を有する画素が前記第１閾値以上連続して含まれる水平ラインを検出するものとしてもよい。
【００１１】
また、具体的な回路の例として、前記第２の手段は、前記第１の手段において検出された水平ラインが連続する回数をカウントするラインカウント回路と、前記ラインカウント回路でカウントされたラインの数が前記第２閾値以上であるか否かを判定するライン数比較回路と、を含み、前記第１の手段において検出された水平ラインが前記第２閾値以上連続する領域を検出するものとしてもよい。
【００１２】
ここで、前記第１閾値は、ビデオ信号の表示の速度に基づいて変更されるものとすることが好適である。例えば、前記第１閾値は、ビデオ信号の表示の速度が大きくなるほど大きい値に設定するとよい。
【００１３】
また、前記第２閾値は、ビデオ信号の表示の速度に基づいて変更されるものとすることが好適である。例えば、前記第２閾値は、ビデオ信号の表示の速度が大きくなるほど大きい値に設定するとよい。
【００１４】
また、ビデオ信号に含まれる映像信号の位置の変化に基づいてビデオ信号に含まれるスーパーインポーズ映像を検出する第３の手段をさらに備えることも好適である。
【００１５】
具体的な回路の例として、前記第３の手段は、ビデオ信号の１フレーム内に含まれる映像信号の最後の水平画素位置を検出する水平位置検出回路と、ビデオ信号の１フレーム内に含まれる映像信号の最後の垂直画素位置を検出する垂直位置検出回路と、連続するフレーム間における前記水平画素位置の差が所定の範囲内であるか否かを判定する水平範囲比較回路と、連続するフレーム間における前記垂直画素位置の差が所定の範囲内であるか否かを判定する垂直範囲比較回路と、連続するフレーム間の前記水平画素位置の差が所定の範囲内であり、かつ、連続するフレーム間における前記垂直画素位置の差が所定の範囲内であるフレームの数をカウントするフレーム数カウント回路と、前記フレーム数カウント回路でカウントされたフレームの数が所定の第３閾値以上であるか否かを判定するフレーム数比較回路と、を含むものとしてもよい。
【発明の効果】
【００１６】
本発明によれば、テレビジョンに映し出される黒帯領域をより的確に検出することができる。
【発明を実施するための最良の形態】
【００１７】
［第１の実施の形態］
本発明の実施の形態における黒帯領域検出回路１００は、図１に示すように、アナログ／デジタル変換器（ＡＤＣ）１０、スライス回路１２、カウンタ回路１４、比較回路１６、カウンタ回路１８及び比較回路２０を含んで構成される。
【００１８】
ＡＤＣ１０は、外部からアナログのビデオ信号を受けて、ビデオ信号を所定のサンプリング周期でサンプリングしてデジタル信号に変換する。サンプリングは、外部からＡＤＣ１０へ入力される画素クロックＣＬＫｄの周期に同期して行われる。デジタル化されたビデオ信号はスライス回路１２へ出力される。例えば、画素クロックＣＬＫｄは、ディスプレイ上における１画素毎にビデオ信号をサンプリングできる周期に設定することが好適である。
【００１９】
スライス回路１２は、デジタル化されたビデオ信号を受けて、所定の閾値レベルＳｔｈを超えているか否かを判定する。具体的には、スライス回路１２は、外部から画素クロックＣＬＫｄを受けて、画素クロックＣＬＫｄに基づいてＡＤＣ１０でのサンプリング周期に同期させて、ＡＤＣ１２から入力されるビデオ信号が閾値レベルＳｔｈ以上であるか否かを判定する。ビデオ信号が閾値レベルＳｔｈ以上であればカウンタ回路１４へ出力される検出信号Ｓ１がハイレベルとされ、ビデオ信号が閾値レベルＳｔｈより低ければ検出信号Ｓ１がローレベルとされる。
【００２０】
カウンタ回路１４は、検出信号Ｓ１が連続してハイレベルとなる回数をカウントする。具体的には、カウンタ回路１４は、外部から画素クロックＣＬＫｄを受けて、画素クロックＣＬＫｄに基づいてスライス回路１２での検出信号Ｓ１の更新タイミングに同期させて、検出信号Ｓ１がハイレベルであればカウンタ値Ｎｈを１だけ増加させ、検出信号Ｓ１がローレベルであればカウンタ値Ｎｈを０にリセットする。すなわち、カウンタ回路１４は、ビデオ信号において閾値レベルを超える画素が連続する回数をカウントする機能を果たす。カウンタ回路１４のカウンタ値Ｎｈは比較回路１６へ出力される。
【００２１】
また、カウンタ回路１４は、比較回路１６からリセット信号Ｒ１を受けて、リセット信号Ｒ１がハイレベルであればカウンタ値を０にリセットする。
【００２２】
比較回路１６は、カウンタ値Ｎｈが所定の閾値Ｎｔｈ１以上であるか否かを判定する。カウンタ値Ｎｈが閾値Ｎｔｈ１以上であればカウンタ回路１８へ出力される検出信号Ｓ２をハイレベルとすると共に、カウンタ回路１４へ出力されるリセット信号Ｒ１をハイレベルとする。また、カウンタ値Ｎｈが閾値Ｎｔｈ１より低ければカウンタ回路１８へ出力される検出信号Ｓ２をローレベルとし、カウンタ回路１４へ出力されるリセット信号Ｒ１をローレベルとする。
【００２３】
ビデオ信号に閾値Ｎｔｈ１以上連続して閾値レベルＳｔｈ以上のレベルを有する画素が含まれていた場合、比較回路１６から出力される検出信号Ｓ２がハイレベルとなる。すなわち、スライス回路１２から比較回路１６までの回路構成によって、図２に示すように、閾値レベルＳｔｈを超える映像信号が含まれているか否かが判定される。このとき、信号レベルが閾値Ｎｔｈ１以上連続して閾値レベルＳｔｈ以上となるか否かを調べることによって、長く連続しないノイズを真の映像信号として誤検出することを防ぐことができる。
【００２４】
閾値Ｎｔｈ１は、例えば、１０画素以上５０画素以下に設定することが好適である。さらに、１０画素以上２０画素以下に設定することがより好適である。
【００２５】
また、比較回路１６に対して閾値Ｎｔｈ１の外部調整信号を入力できるようにして、外部調整信号に応じて閾値Ｎｔｈ１を変更できるようにすることも好適である。例えば、映像を早送り処理又は巻き戻し処理等する場合、早送りや巻き戻しの速度に応じて閾値Ｎｔｈ１を変更することも好適である。すなわち、早送りや巻き戻しの速度が速くなるにつれて黒帯領域に連続して発生するノイズも多くなるので、早送りや巻き戻しの速度が速くなるにつれて閾値Ｎｔｈ１を大きくするとよい。
【００２６】
カウンタ回路１８は、検出信号Ｓ２が連続してローレベルとなる回数をカウントする。具体的には、カウンタ回路１８は、外部からビデオ信号から抽出された水平同期信号Ｈｓｙｎｃを受けて、水平同期信号Ｈｓｙｎｃに同期して検出信号Ｓ２がローレベルであるか否かを判定する。検出信号Ｓ２がローレベルであればカウンタ値Ｎｖを１増加させ、検出信号Ｓ２がハイレベルであればカウンタ値Ｎｖを０にリセットする。すなわち、カウンタ回路１８は、ビデオ信号において検出信号Ｓ２がローレベルとなる水平ラインが何回連続するかをカウントする機能を果たす。カウンタ回路１８のカウンタ値Ｎｖは比較回路２０へ出力される。
【００２７】
また、カウンタ回路１８は、比較回路２０からリセット信号Ｒ２を受けて、リセット信号Ｒ２がハイレベルであればカウンタ値を０にリセットする。
【００２８】
比較回路２０は、カウンタ値Ｎｖが所定の閾値Ｎｔｈ２以上であるか否かを判定する。カウンタ値Ｎｖが閾値Ｎｔｈ２以上であれば検出信号Ｓ３をハイレベルとすると共に、カウンタ回路１８へ出力されるリセット信号Ｒ２をハイレベルとする。また、カウンタ値Ｎｖが閾値Ｎｔｈ２より低ければ検出信号Ｓ３をローレベルとし、カウンタ回路１８へ出力されるリセット信号Ｒ２をローレベルとする。
【００２９】
ビデオ信号に閾値Ｎｔｈ２以上連続して検出信号Ｓ２がローレベルとなる水平ラインが含まれていた場合、比較回路２０から出力される検出信号Ｓ３がハイレベルとなる。すなわち、カウンタ回路１８及び比較回路２０の回路構成によって、ノイズではない実質的な映像信号が含まれていない水平ライン（黒レベルにある水平ライン）が連続する回数が調査され、その回数が閾値Ｎｔｈ２であればその領域は黒帯領域であるものと判定し、黒帯領域であることを示す検出信号Ｓ３がハイレベルとされる。
【００３０】
なお、閾値Ｎｔｈ２は、映像信号のフォーマットに基づいて設定することが好適である。すなわち、映像信号のフォーマットに応じて表示装置の画面のアスペクト比に対する黒帯領域が異なってくるので、フォーマット毎に黒帯を構成する水平ライン数に応じて閾値Ｎｔｈ２を設定することが好ましい。例えば、閾値Ｎｔｈ２は３水平ライン以上に設定される。
【００３１】
また、比較回路２０に対して閾値Ｎｔｈ２の外部調整信号を入力できるように構成し、外部調整信号に応じて閾値Ｎｔｈ２を変更できるようにすることも好適である。例えば、映像を早送り処理又は巻き戻し処理等する場合、早送りや巻き戻しの速度に応じて閾値Ｎｔｈ２を変更することも好適である。すなわち、早送りや巻き戻しの速度が速くなるにつれて黒帯領域の垂直方向に連続して発生するノイズも多くなるので、早送りや巻き戻しの速度が速くなるにつれて閾値Ｎｔｈ２を大きくするとよい。
【００３２】
以上のように、本実施の形態によれば、映像信号から黒帯領域をより的確に検出することができる。また、低域通過フィルタを用いることなく黒帯領域を検出することができるので、検出回路の回路規模を従来よりも小さくすることができる。
【００３３】
［第２の実施の形態］
第１の実施の形態の黒帯検出回路１００では、図３に示すように、黒帯領域に字幕等のスーパーインポーズ映像が重畳されている場合に黒帯と検出されなくなる問題が残されている。第２の実施の形態における黒帯検出回路２００では、スーパーインポーズ映像が重畳されている場合においても黒帯領域を的確に検出できる。
【００３４】
黒帯検出回路２００は、図４に示すように、アナログ／デジタル変換器（ＡＤＣ）１０、スライス回路１２、カウンタ回路１４、比較回路１６、カウンタ回路１８及び比較回路２０に加えて、スライス回路３０、水平レジスタ３２ａ，３２ｂ、垂直レジスタ３４ａ，３４ｂ、比較回路３６，３８、アンド素子４０、カウンタ回路４２及び比較回路４４を含んで構成される。
【００３５】
アナログ／デジタル変換器（ＡＤＣ）１０、スライス回路１２、カウンタ回路１４、比較回路１６、カウンタ回路１８及び比較回路２０は第１の実施の形態と同様であるので説明は省略する。
【００３６】
スライス回路３０は、ＡＤＣ１０においてデジタル化されたビデオ信号を受けて、所定の閾値Ｓｔｈ２を超えているか否かを判定する。具体的には、スライス回路３０は、ビデオ信号、ビデオ信号から抽出された水平同期信号及び垂直同期信号を受けて、図５に示すように、ビデオ信号が閾値Ｓｔｈ２を超えた状態から閾値Ｓｔｈ２以下に変化した場合にその画素の映像フレーム内の位置を求める。スライス回路３０は、水平同期信号を受けてからの水平ライン方向の画素数を内部カウンタを用いてカウントすることによって、ビデオ信号が閾値Ｓｔｈ２を超えた状態から閾値Ｓｔｈ２以下に変化した画素の水平位置を水平画素位置Ｐｈとして水平レジスタ３２ａへ出力する。また、スライス回路３０は、垂直同期信号を受けてからのフレーム垂直方向のライン数を内部カウンタを用いてカウントすることによって、ビデオ信号が閾値Ｓｔｈ２を超えた状態から閾値Ｓｔｈ２以下に変化した画素を含む水平ラインのうちフレーム内で最後に位置する水平ラインの垂直位置を垂直画素位置Ｐｖとして垂直レジスタ３４ａへ出力する。
【００３７】
すなわち、図６に示すように、映像のフレーム内の下方に位置する黒帯領域に字幕スーパーインポーズが重畳されることが多いので、スライス回路３０は、字幕スーパーインポーズの最後の画素の水平画素位置Ｐｈ及び垂直画素位置Ｐｖを検出する機能を果たす。
【００３８】
スライス回路３０は、垂直同期信号に同期させて、内部カウンタをリセットする。また、スライス回路３０は、垂直同期信号を受けると、水平レジスタ３２ａ，３２ｂ及び垂直レジスタ３４ａ，３４ｂの更新処理時間以上の所定時間後に水平画素位置Ｐｈ及び垂直画素位置Ｐｖを０にリセットする。
【００３９】
水平レジスタ３２ａは、スライス回路３０から水平画素位置Ｐｈを受けると、垂直同期信号に同期させて水平画素位置Ｐｈの値を保持する。また、水平レジスタ３２ａは、保持している値を信号Ｐｈ１として水平レジスタ３２ｂ及び比較回路３６へ出力する。水平レジスタ３２ｂは、水平レジスタ３２ａから信号Ｐｈ１を受けると、垂直同期信号に同期させて水平画素位置Ｐｈ１の値を保持する。また、水平レジスタ３２ｂは、保持している値を信号Ｐｈ２として比較回路３６へ出力する。
【００４０】
すなわち、水平レジスタ３２ａは、スライス回路３０で処理されているフレームより１つ前のフレームから抽出された字幕スーパーインポーズの水平画素位置Ｐｈ１を保持し、水平レジスタ３２ｂは、スライス回路３０で処理されているフレームより２つ前のフレームから抽出された字幕スーパーインポーズの水平画素位置Ｐｈ２を保持する。
【００４１】
垂直レジスタ３４ａは、スライス回路３０から垂直画素位置Ｐｈを受けると、垂直同期信号に同期させて垂直画素位置Ｐｈの値を保持する。また、垂直レジスタ３４ａは、保持している値を信号Ｐｖ１として垂直レジスタ３４ｂ及び比較回路３８へ出力する。垂直レジスタ３４ｂは、垂直レジスタ３４ａから信号Ｐｖ１を受けると、垂直同期信号に同期させて垂直画素位置Ｐｖ１の値を保持する。また、垂直レジスタ３４ｂは、保持している値を信号Ｐｖ２として比較回路３８へ出力する。
【００４２】
すなわち、垂直レジスタ３４ａは、スライス回路３０で処理されているフレームより１つ前のフレームから抽出された字幕スーパーインポーズの垂直画素位置Ｐｖ１を保持し、垂直レジスタ３４ｂは、スライス回路３０で処理されているフレームより２つ前のフレームから抽出された字幕スーパーインポーズの垂直画素位置Ｐｖ２を保持する。
【００４３】
比較回路３６は、水平レジスタ３２ａから水平画素位置Ｐｈ１及び水平レジスタ３２ｂから水平画素位置Ｐｈ２を受けて、それらの値の差が所定の範囲Ｈｔｈ内にあるか否かを判定する。差が範囲Ｈｔｈ内にあれば検出信号Ｓ４をハイレベルにし、差が範囲Ｈｔｈ外であれば検出信号Ｓ４をローレベルにする。検出信号Ｓ４は、アンド素子４０へ出力される。
【００４４】
すなわち、映像信号に重畳されているスーパーインポーズ映像の位置は連続するフレーム間では大きく変化しないという特徴を利用して、連続するフレーム間のスーパーインポーズ映像の隅の位置の変化が範囲Ｈｔｈ内にあるか否かを判定するものである。
【００４５】
比較回路３８は、垂直レジスタ３４ａから垂直画素位置Ｐｖ１及び垂直レジスタ３４ｂから垂直画素位置Ｐｖ２を受けて、それらの値の差が所定の範囲Ｖｔｈ内にあるか否かを判定する。差が範囲Ｖｔｈ内にあれば検出信号Ｓ５をハイレベルにし、差が範囲Ｖｔｈ外であれば検出信号Ｓ５をローレベルにする。検出信号Ｓ５は、アンド素子４０へ出力される。
【００４６】
すなわち、映像信号に重畳されているスーパーインポーズ映像の位置は連続するフレーム間では大きく変化しないという特徴を利用して、連続するフレーム間のスーパーインポーズ映像の隅の位置の変化が範囲Ｖｔｈ内にあるか否かを判定するものである。
【００４７】
範囲Ｈｔｈ及び範囲Ｖｔｈは、一般的に１０以上３０以下に設定することが好適である。また、範囲Ｈｔｈ及び範囲Ｖｔｈは、スーパーインポーズ映像に応じて決定することも好適である。例えば、スーパーインポーズ映像が字幕である場合よりも時刻表示である場合の方が表示位置の変化は少ないので、字幕の場合に時刻表示の場合よりも範囲Ｈｔｈ及び範囲Ｖｔｈを大きく設定することが好ましい。
【００４８】
アンド素子４０は、比較回路３６から検出信号Ｓ４及び比較回路３８から検出信号Ｓ５を受けて、それらの論理積を算出してカウンタ回路４２へ出力する。すなわち、スーパーインポーズ映像の位置の変化が範囲Ｈｔｈ内及び範囲Ｖｔｈ内にあれば出力Ｓ６がハイレベルとされ、スーパーインポーズ映像の位置の変化が範囲Ｈｔｈ及び範囲Ｖｔｈのいずれか一方の外にあれば出力Ｓ６がローレベルとされる。
【００４９】
カウンタ回路４２は、信号Ｓ６が連続してハイレベルとなる回数をカウントする。具体的には、カウンタ回路４２は、信号Ｓ６がハイレベルであればカウンタ値Ｎｓを１増加させ、信号Ｓ６がローレベルであればカウンタ値Ｎｓを０にリセットする。カウンタ値Ｎｓは、比較回路４４へ出力される。
【００５０】
比較回路４４は、カウンタ回路４２からカウンタ値Ｎｓを受けて、カウンタ値Ｎｓが閾値Ｎｓｔｈ以上であるか否かを判定する。カウンタ値Ｎｓが閾値Ｎｓｔｈ以上であれば検出信号Ｓ７をハイレベルとする。また、カウンタ値Ｎｓが閾値Ｎｓｔｈより低ければ検出信号Ｓ７をローレベルとする。すなわち、スーパーインポーズ映像の位置の変化が範囲Ｈｔｈ及び範囲Ｖｔｈにあるフレーム数が閾値Ｎｓｔｈ以上続いている場合に検出信号Ｓ７がハイレベルとされる。
【００５１】
なお、閾値Ｎｓｔｈは、５以上２０以下の範囲に設定することが好適である。また、比較回路４４に対して閾値Ｎｓｔｈの外部調整信号を入力できるような構成とし、外部調整信号に応じて閾値Ｎｓｔｈを変更できるようにすることも好適である。例えば、スーパーインポーズ映像の種類に応じて閾値Ｎｓｔｈを変更することも好適である。スーパーインポーズ映像が字幕である場合よりも時刻表示である場合の方が表示位置の変化は少ないので、字幕の場合に時刻表示の場合よりも閾値Ｎｓｔｈを小さく設定することが好ましい。
【図面の簡単な説明】
【００５２】
【図１】第１の実施の形態における黒帯領域検出回路を示すブロック図である。
【図２】ビデオ信号の信号レベルを判定する処理を説明する図である。
【図３】スーパーインポーズ映像が含まれる場合の問題点を説明する図である。
【図４】第２の実施の形態における黒帯領域検出回路を示すブロック図である。
【図５】スーパーインポーズ映像の信号を検出する処理を説明する図である。
【図６】スーパーインポーズ映像の表示位置を検出する処理を説明する図である。
【図７】標準的なビデオ信号の構成を示す図である。
【図８】従来の黒帯領域検出処理を説明する図である。
【符号の説明】
【００５３】
１０  アナログ／デジタル回路、１２  スライス回路、１４  カウンタ回路、１６  比較回路、１８  カウンタ回路、２０  比較回路、３０  スライス回路、３２ａ，３２ｂ  水平レジスタ、３４ａ，３４ｂ  垂直レジスタ、３６，３８  比較回路、４０  アンド素子、４２  カウンタ回路、４４  比較回路、１００，２００  黒帯検出回路。
【図１】
2008147826.tif 000003
【図２】
2008147826.tif 000004
【図３】
2008147826.tif 000005
【図４】
2008147826.tif 000006
【図５】
2008147826.tif 000007
【図６】
2008147826.tif 000008
【図７】
2008147826.tif 000009
【図８】
2008147826.tif 000010